(57)【要約】【課題】外部からエネルギーを供給することなく、ミスト、微粒子などが浮遊し、刺激臭などの悪臭がある煙状物の脱臭装置を提供する。【手段】ミストが浮遊し臭気のある煙状物を、最初に第１ミスト捕集層２を、次いで第２ミスト捕集層３を通過させて前記ミストを捕集し、次いで吸着層４を通過させることによって脱臭する装置であって、第一捕集層２は、表面が粗面状の充填物２ｂを充填した充填層からなり、第２ミスト捕集層３は、複数の無機質繊維３ａのマット状集積体からなる層を傾斜させて配置し、第１及び第２ミスト捕集層２，３で捕集されたミストは、それぞれの層内を流下して低い部分に集まり、自重で滴下し又は流下してそれぞれの層から離脱するようにした脱臭装置１。【選択図】    図１
2005138045.tif 000002
【特許請求の範囲】
【請求項１】
ミストが浮遊し臭気のある煙状物を、最初に第１ミスト捕集層を、次いで第２ミスト捕集層を通過させて前記ミストを捕集し、次いで吸着層を通過させることによって脱臭する装置であって、前記第１ミスト捕集層は、表面が粗面状の充填物を充填した充填層からなり、前記第２ミスト捕集層は、複数の無機質繊維集積体からなる層を傾斜させて配置し、前記第１及び第２ミスト捕集層で捕集されたミストは、それぞれの層内を流下して低い部分に集まり、自重で滴下又は流下してそれぞれの層から離脱するようにしたことからなる脱臭装置。
【請求項２】
前記充填物がガラス状無機物発泡体を破砕して作成したものからなる請求項１記載の脱臭装置。
【請求項３】
前記無機質繊維がガラス長繊維である請求項１又は２記載の脱臭装置。
【請求項４】
前記繊維集積層の少なくとも下側に多孔板を配置した請求項３記載の脱臭装置。
【請求項５】
前記多孔板がエックスパンドメタルである請求項１〜４のいずれかに記載の脱臭装置。
【請求項６】
前記吸着層が活性炭層である請求項１〜５のいずれかに記載の脱臭装置。
【請求項７】
前記第２ミスト捕集層の少なくとも下面側に、シリコーンオイルを含浸させた請求項１〜６のいずれかに記載の脱臭装置。
【発明の詳細な説明】
【技術分野】
【０００１】
本発明は、ミストが浮遊し、臭い、特に悪臭ないし刺激臭のある煙状物からミストを除去して脱臭する装置に関するものである。
【背景技術】
【０００２】
例えば発泡スチロールなど熱可塑性プラスチック発泡体はそれ自体かさ高であり、また熱可塑性プラスチックスの中実成形体は様々な形状に成形されているため、廃棄されたままのものも、またそれを破砕したものも、一般的にかさ高な状態である。したがって、貯蔵・運搬等にコストが掛かるという問題があるため、従来から貯蔵・運搬するに当たり、熱可塑性プラスチック廃材を融解・固化させて、見掛け容積を減少（以下「減容」という）させることが行われている。
【０００３】
ところで熱可塑性プラスチック廃材を能率的に減容させるには、融解温度より高い温度で熱風加熱することが行われる。その際樹脂の一部や添加物等が熱分解するなどして刺激臭などの臭を伴う煙状のものが発生し、環境を悪化させるという問題がある。
【０００４】
上記煙の成分には固形分の外に臭の原因となるてミスト（一般にオイル状物）及びガス状物質が含まれており、脱臭するためにはこのミストを除去する必要がある。本出願人は、先に静電気集煙装置で約５ミクロン以上のミスト（タール状高粘度物質）を除去した後、例えば０．５〜０．２ミクロンのような細かい低粘度タール状ミストの捕集ができるミストコレクターを使用する排煙脱臭装置を特許（特許第２９５８７３５号）として取得している。
【特許文献１】特許第２９５８７３５号公報（請求項１）
【０００５】
前記静電気集煙装置は、数千ボルトの高電圧を使用するため取り扱いに一定の知識を必要とし、しかも装置の稼働には電気エネルギーが必要である。したがって、静電気集煙装置を使用しないで煙などに含まれる臭を伴うミスト、微粒子を除去することで脱臭する装置の提供ができれば、稼働、保守、点検がきわめて容易になることは明らかである。
【発明の開示】
【発明が解決しようとする課題】
【０００６】
本発明は、以上の問題点に着目してなされたものであり、外部からエネルギーを供給することなく、ガス中にミスト、微粒子などが浮遊し、刺激臭などの悪臭がある煙ないし煙状物の脱臭装置を提供することを目的としている。
【課題を解決するための手段】
【０００７】
以上の目的を達成するための本発明の脱臭装置は、ミストが浮遊し臭気のある煙状物を、最初に第１ミスト捕集層を、次いで第２ミスト捕集層を通過させて前記ミストを捕集し、次いで吸着層を通過させることによって脱臭する装置であって、前記第１ミスト捕集層は、表面が粗面状の充填物を充填した充填層からなり、前記第２ミスト捕集層は、複数の無機質繊維集積体からなる層を傾斜させて配置し、前記第１及び第２ミスト捕集層で捕集されたミストは、それぞれの層内を流下して低い部分に集まり、自重で滴下又は流下してそれぞれの層から離脱するようにしたものである。
【０００８】
前記煙状物には特に限定はなく、要するに臭を発するミストを含む気体で有れば何でも良く、例えば溶融、燃焼などより発生する煙、プラスチック等が熱分解し空気中に分散して生じる煙状物等である。
【０００９】
前記ミストには特に限定はなく、例えばたき火などの煙、熱風で発泡スチロールを融解させて減容させる際に出る排気ガスなどに含まれるミスト、吸い込んだ人に臭を感じさせるミストを指し、比較的大きなミスト、ミストの大きさが例えば５ミクロン以上のとなる高い粘度の油状物、また比較的小さなミスト、ミストの大きさが例えば５ミクロン以下、となる比較的低い粘度の油状物等が含まれる。但し本発明でいうミストは前記例示の大きさに限定されない。
【００１０】
前記充填物は表面が粗面であるという以外に特に限定はなく、表面を粗面状に形成する方法としては、例えばガラス発泡体や軽石などを破砕して表面に粗面を形成したものを使用することができる。この場合一旦充填物内部に侵入した粘度の高いミストを取り出すことは極めて困難であるから、発泡体内部の気泡の状態は、連通泡、独立泡のいずれであってもよい。但し充填物表面を粗面にする方法は上記方法に限定されず、任意な方法で形成することができる。充填物の形状としてはガス吸収塔などで使用されている従来の充填物を使用することができる。
【００１１】
使用しうる無機質繊維には特に限定はないが、価格及び入手の容易性などからガラス繊維、特に長繊維ガラスをマット状にして市販されているものを使用することができる。
【００１２】
前記繊維集積体層を傾斜させて配置し、捕集されたミストが層内を流下して該第２ミスト捕集層の低い部分に集まり、自重で滴下又は流下するように配置する手段としては、繊維集積層をＶ状に配置し、谷部から粘凋駅を滴下又は流下させることのほか、繊維集積層を漏斗状に配置し一か所から滴下又は流下させる、一方に傾斜させ壁面を伝って流下させるなど、適宜変形して実施することができる。
【００１３】
前記繊維集積層を傾斜させて配置する際の形状を安定させるためには、繊維集積体層の少なくとも下側に、但し通風による繊維の舞い上がるおそれがある場合には上・下両側に、多孔板を配置することができる。前記多孔板としては、例えばエキスパンドメタル、パンチメタル、金網などを使用することができる。なお充填物を充填するために、目皿、例えば多孔板等を配置することは明らかである。
【００１４】
前記吸着層に使用する吸着剤として、例えば活性炭を使用することができるが、本発明はこれに限定されない。
【００１５】
本発明の前記第１ミスト捕集層の粗面は、粘度が高く比較的大きいミストを絡め取るように作用し、また第２ミスト捕集層の集積された繊維表面が比較的粘度の低いミストで濡れると、新たなミストが前記濡れた面に補足されやすくなるように作用するので、簡単な手段で高い脱臭効果、吸着層の劣化防止作用を得ることが可能になる。したがって、第２ミスト捕集層は、使用開始当初の脱臭効果が十分得られないおそれがある。
【００１６】
そこで、第２ミスト捕集層の使用開始から初期の脱臭効果を得るためには、少なくとも第２ミスト捕集層の下側に、無臭のオイル、例えば官能基のないシリコーンオイルを含浸させると、新品の使い始めから優れた脱臭効果を得ることができる。
【発明の効果】
【００１７】
本発明は、前記説明のとおり、簡単な構造で、一般的な煙、その他の煙状物、臭成分のミストを含む浮遊物を容易に除去することができ、しかも保守・点検が極めて容易であるという効果が得られる。
【発明を実施するための最良の形態】
【００１８】
以下添付の図面を参照して本発明の脱臭装置を具体的に説明する。
【００１９】
図１及び図２に示した本実施の形態の脱臭装置１は、下側に第１ミスト捕集層２を配置し、その上に所定間隔を開けて第２ミスト捕集層３をＶ状に配置したものであり、その上部に活性炭充填層４を配置したものであり、図１に示す矢印は、ミストが浮遊し悪臭のある煙状物（以下単に煙という）が順次処理されながら流れる方向を示している。
【００２０】
第１ミスト捕集層２は、エキスパンドメタルからなる目皿（多孔板）２ａの上に、ガラスを連通気泡として発泡させたものを所定の大きさに破砕して得た充填物２ｂを所定の厚みに不規則に充填し、その上から運搬途中などで充填物２ｂが脱出しないように同様の多孔板２ｃで覆ったものである。
【００２１】
第２ミスト捕集層３は、Ｖ状にガラス繊維３ａ（図２）を束ねてマット形状としたフィルターとし、エキスパンドメタルを中央でＶ状に折り曲げた下側多孔板３ｂと上側多孔板３ｃとの間に配置し、少ない床面積の上にできるだけ広いフィルター面積を確保するために急傾斜状に配置したものである。
【００２２】
吸着層４は、活性炭４ａをエキスバンドメタルで作った目皿４ｂ上に充填し、上から同様の多孔板４ｃで押さえたものである。
【００２３】
なお図１に示す符号１ａはケーシング、１ｂは未処理煙の煙入口、１ｃは処理済み煙の煙出口である。また、本実施の形態では横断面が方形のものを使用したが 、丸形のものであってもよい。図１に示す第２ミスト捕集層３はＶ状（谷状）に形成したが、一方に傾斜させたり、漏斗状としたり、また大型のものではＷ型のように谷部分を複数設ける、複数層とするなど任意な方法で実施することができる。
【００２４】
煙の搬送は、煙出口１ｃ側に取り付けた排風用有圧ファン（図示せず）を使用し、排風量は吸引側に設けた弁（図示せず）により調節したが、本発明はこれに限定されない。
【００２５】
ミストが付着していない第２ミスト捕集層３の初期捕集効率は、一般に低い傾向がある。そこで捕集効率を向上させる手段としては、バット（図示せず）に薄くシリコーンオイルなどの無臭オイル（官能基の無いオイル）を入れ、これに第２ミスト捕集層を浸し、バットの縁でしごくように第２ミスト捕集層を引き出すことにより、第２ミスト捕集層の少なくとも下側面にシリコーンオイルを含浸させるなどの手段を用いることができる。
【００２６】
第１ミスト捕集層２及び第２ミスト捕集層３で捕集されたミストは、それぞれの層内を流下して低い部分に集まり、自重で滴下又は流下してそれぞれの層から離脱し、最終的にはタール溜室５の底部に溜まる（符号５ａで表示）ようにしたので、長期間目詰まりを起こさないで稼働させることができる。
【実施例】
【００２７】
発泡スチロールを加熱融解させた際に発生する煙の脱臭を、図１で示した装置を以下の態様で使用し結果を説明する。
脱臭装置ケーシング１０寸法：幅×奥行×高さ＝３００ｍｍ×５６０ｍｍ×６００ｍｍ
【００２８】
第１ミスト捕集層２；
使用充填物：市販のガラス連通発泡体を破砕し、３０ｍｍ角篩全通、１５ｍｍ角篩上  のものを使用した。
充填厚み；約５０ｃｍ
【００２９】
第２ミスト捕集層３：
使用ガラス長繊維：密度３２ｋｇ／ｍのガラス繊維（マグボード破砕品、株式会社マ  グ商標名）：ＪＩＳ  Ａ  ９５０４  人造鉱物繊維保温剤及びＪＩＳ  Ａ  ６３０１吸  音材料の規格該当品を使用
積層厚み：約５０ｍｍ、傾斜角：約４５°
煙の種類：廃発泡スチロールを減容処理の際に発生する煙状物
処理結果：重合物質がほぼ３００ｐｐｍ／ｍだったものを２０ｐｐｍ／ｍに減少ｋさ
せることができ、臭い白煙共に観測することができなかった。
【００３０】
図１に示した脱臭装置１を実用機１とした１例を図３によって説明する。図３に示す実用機１は、吸着層４と第１，第２ミスト捕集層２，３と分離し、吸着層４を制御部５の上に配置し、第２ミスト捕集層３を出た処理中の煙は、ダクト（図示せず）により吸着層３に導くようにした。図３に示した第１ミスト捕集層２、第２ミスト捕集層３及び吸着層４は、いずれもカートリッジ型とし、第１，第２ミスト捕集層２，３は扉５ａから、又吸着層４は扉５ｂからそれぞれ出し入れできるようにした。
【００３１】
なお図３に示す符号５ａはタール溜室５に溜まったタール（オイル状のミスト凝集物）、６ｃはタール溜室５の扉、７は吸引式有圧ファン、８は排気ダクトである。以上の図１〜３および実施例はいずれも本発明を説明するためのものであり、これによって本発明を限定的に解釈することはできない。
【図面の簡単な説明】
【００３２】
【図１】本発明の脱臭装置の要部を概念的に示した断面図である。
【図２】図１の第２ミスト捕集層の要部を一部破断して示した斜視図である。
【図３】図１の脱臭装置をコンパクトにまとめた実機の一例を示す側面図である。
【符号の説明】
【００３３】
１    脱臭装置
２    第１ミスト捕集層
２ａ  充填物
３    第１ミスト捕集層
３ａ  無機質繊維
４    吸着層
【図１】
2005138045.tif 000003
【図２】
2005138045.tif 000004
【図３】
2005138045.tif 000005